(57)【要約】  ユーザカスタマイズされたコンテンツを配信するために様々な種類の配信システムをサポートできるダイナミックコンテンツ配信（以下、“ＤＣＤ”と称する。）技術でユーザが生成したコンテンツのアップローディング／提出を行うことにより他のユーザと共有するための装置及び方法を開示する。本発明は、ユーザが所定の規則に従ってコンテンツを生成し、関連するコンテンツ情報を有するコンテンツを提出することにより、ＤＣＤサービスプロバイダーがコンテンツを受信した後に容易に処理することができる環境を提供する。
2011530733.tif 000002
【特許請求の範囲】
【請求項１】
移動端末機のユーザコンテンツ提出方法であって、
ユーザコンテンツ活用クライアントアプリケーションがユーザ入力に従ってコンテンツ及び前記コンテンツに関する処理情報を示す提出メタデータを構成するステップと、
前記ユーザコンテンツ活用クライアントアプリケーションが前記コンテンツ及び前記提出メタデータを有する提出パッケージを構成するステップと、
前記ユーザコンテンツ活用クライアントアプリケーションが前記提出パッケージをユーザコンテンツクライアントに伝達するステップと、
前記ユーザコンテンツクライアントが前記コンテンツ及び提出メタデータを含む前記提出パッケージをユーザコンテンツサーバに提出するステップと、
前記ユーザコンテンツクライアントが前記提出メタデータに含まれる処理情報に従って前記コンテンツを処理した結果を前記ユーザコンテンツサーバから受信するステップと
を有することを特徴とするユーザコンテンツ提出方法。
【請求項２】
前記提出メタデータは、前記コンテンツが表現される位置を示す‘表現位置’フィールドを含むことを特徴とする請求項１に記載のユーザコンテンツ提出方法。
【請求項３】
前記コンテンツを処理した結果は、前記コンテンツに関連した他のコンテンツを含むことを特徴とする請求項１に記載のユーザコンテンツ提出方法。
【請求項４】
前記コンテンツは、前記ユーザコンテンツサーバによりコンテンツプロバイダーに配信され、前記提出メタデータに含まれる前記処理情報に従って記憶され、他のユーザにより共有されることを特徴とする請求項１に記載のユーザコンテンツ提出方法。
【請求項５】
前記コンテンツは、所定のフォーマットに従って構成され、前記提出メタデータは、前記コンテンツにそれぞれ関連した‘コンテンツ識別子’、‘フォーマット’、‘スクラップ’‘プライベート’‘ブックマーク’‘タグ’、及び‘メディアタイプ’の中の少なくとも１つをさらに含むことを特徴とする請求項２に記載のユーザコンテンツ提出方法。
【請求項６】
移動端末機のユーザコンテンツ提出装置であって、
ユーザ入力に従ってコンテンツ及び前記コンテンツに関する処理情報を示す提出メタデータを構成し、前記コンテンツ及び前記提出メタデータを有する提出パッケージを生成し、前記提出パッケージをユーザコンテンツクライアントに配信するユーザコンテンツ活用クライアントアプリケーションと、
前記コンテンツ及び前記提出メタデータを含む前記提出パッケージをユーザコンテンツサーバに提出し、前記提出メタデータに含まれる処理情報に従って前記コンテンツを処理した結果を前記ユーザコンテンツサーバから受信する前記ユーザコンテンツクライアントと
を有することを特徴とするユーザコンテンツ提出装置。
【請求項７】
前記提出メタデータは、前記コンテンツが表現される位置を示す‘表現位置’フィールドを有することを特徴とする請求項６に記載のユーザコンテンツ提出装置。
【請求項８】
前記コンテンツを処理した結果は、前記コンテンツに関連した他のコンテンツを有することを特徴とする請求項６に記載のユーザコンテンツ提出装置。
【請求項９】
前記コンテンツは、前記ユーザコンテンツサーバによりコンテンツプロバイダーに配信され、前記提出メタデータに含まれる前記処理情報に従って記憶され、他のユーザにより共有されることを特徴とする請求項６に記載のユーザコンテンツ提出装置。
【請求項１０】
前記コンテンツは、所定のフォーマットに従って構成され、前記提出メタデータは、前記コンテンツにそれぞれ関連した‘コンテンツ識別子’、‘フォーマット’、‘スクラップ’‘プライベート’‘ブックマーク’‘タグ’、及び‘メディアタイプ’の中の少なくとも１つをさらに有することを特徴とする請求項７に記載のユーザコンテンツ提出装置。
【請求項１１】
ユーザコンテンツサーバのユーザコンテンツ提出方法であって、
ユーザ入力に従って構成され、コンテンツ及び前記コンテンツに関する処理情報を示す提出メタデータを含む提出パッケージを移動端末機から受信するステップと、
前記提出メタデータに従って前記コンテンツ及び前記提出メタデータをコンテンツプロバイダーに提出するステップと、
前記提出メタデータに含まれる処理情報に従って前記コンテンツを処理した結果を前記コンテンツプロバイダーから受信するステップと、
前記コンテンツを処理した結果を前記移動端末機に配信するステップと
を有することを特徴とするユーザコンテンツ提出方法。
【請求項１２】
前記提出メタデータは、前記コンテンツが表現される位置を示す‘表現位置’フィールドを含むことを特徴とする請求項１１に記載のユーザコンテンツ提出方法。
【請求項１３】
前記コンテンツプロバイダーは、前記提出メタデータに含まれる処理情報に従って前記コンテンツに関連した他のコンテンツを構成し、前記他のコンテンツを前記コンテンツを処理した結果に含ませることを特徴とする請求項１１に記載のユーザコンテンツ提出方法。
【請求項１４】
前記コンテンツプロバイダーは、前記提出メタデータに含まれる前記処理情報に従って前記コンテンツを記憶し、他のユーザに提供することを特徴とする請求項１１に記載のユーザコンテンツ提出方法。
【請求項１５】
前記コンテンツは、所定のフォーマットに従って構成され、前記提出メタデータは、前記コンテンツにそれぞれ関連した‘コンテンツ識別子’、‘フォーマット’、‘スクラップ’‘プライベート’‘ブックマーク’‘タグ’、及び‘メディアタイプ’の中の少なくとも１つをさらに含むことを特徴とする請求項１２に記載のユーザコンテンツ提出方法。
【請求項１６】
ユーザコンテンツサーバのユーザコンテンツ提出装置であって、
送受信部と、
ユーザ入力に従って構成され、コンテンツ及び前記コンテンツに関する処理情報を示す提出メタデータを含む提出パッケージを前記送受信部を通して移動端末機から受信し、前記提出メタデータに従って前記コンテンツ及び前記提出メタデータを前記送受信部を通してコンテンツプロバイダーに提出し、前記コンテンツプロバイダーから前記提出メタデータに含まれる処理情報に従って前記コンテンツを処理した結果を前記送受信部を通して受信し、前記コンテンツを処理した結果を前記送受信部を通して前記移動端末機に配信する処理部と
を有することを特徴とするユーザコンテンツ提出装置。
【請求項１７】
前記提出メタデータは、前記コンテンツが表現される位置を示す‘表現位置’フィールドを有することを特徴とする請求項１６に記載のユーザコンテンツ提出装置。
【請求項１８】
前記コンテンツプロバイダーは、前記提出メタデータに含まれる処理情報に従って前記コンテンツに関連した他のコンテンツを構成し、前記他のコンテンツを前記コンテンツを処理した結果に含ませることを特徴とする請求項１６に記載のユーザコンテンツ提出装置。
【請求項１９】
前記コンテンツプロバイダーは、前記提出メタデータに含まれる前記処理情報に従って前記コンテンツを記憶し、他のユーザに提供することを特徴とする請求項１６に記載のユーザコンテンツ提出装置。
【請求項２０】
前記コンテンツは、所定のフォーマットに従って構成され、前記提出メタデータは、前記コンテンツにそれぞれ関連した‘コンテンツ識別子’、‘フォーマット’、‘スクラップ’‘プライベート’‘ブックマーク’‘タグ’、及び‘メディアタイプ’の中の少なくとも１つをさらに有することを特徴とする請求項１７に記載のユーザコンテンツ提出装置。
【請求項２１】
ユーザコンテンツ提出システムであって、
ユーザ入力に従って構成され、コンテンツ及び前記コンテンツに関する処理情報を示す提出メタデータを含む提出パッケージをユーザコンテンツサーバに提出し、前記提出メタデータに含まれる処理情報に従って前記コンテンツを処理した結果を前記ユーザコンテンツサーバから受信するユーザコンテンツクライアントと、
前記提出パッケージに含まれる前記提出メタデータに従って前記コンテンツ及び前記提出メタデータを前記ユーザコンテンツクライアントからコンテンツプロバイダーに提出し、前記提出メタデータに含まれる処理情報に従って前記コンテンツを処理した結果を前記コンテンツプロバイダーから受信し、前記コンテンツを処理した結果を前記送受信部を通して前記ユーザコンテンツクライアントに配信する前記ユーザコンテンツサーバと
を有することを特徴とするユーザコンテンツ提出システム。
【請求項２２】
前記提出メタデータは、前記コンテンツが表現される位置を示す‘表現位置’フィールドを有することを特徴とする請求項２１に記載のユーザコンテンツ提出システム。
【請求項２３】
前記コンテンツプロバイダーは、前記提出メタデータに含まれる処理情報に従って前記コンテンツに関連した他のコンテンツを構成し、前記他のコンテンツを前記コンテンツを処理した結果に含ませることを特徴とする請求項２１に記載のユーザコンテンツ提出システム。
【請求項２４】
前記コンテンツプロバイダーは、前記提出メタデータに含まれる前記処理情報に従って前記コンテンツを記憶し、他のユーザに提供することを特徴とする請求項２１に記載のユーザコンテンツ提出システム。
【請求項２５】
前記コンテンツは、所定のフォーマットに従って構成され、前記提出メタデータは、前記コンテンツにそれぞれ関連した‘コンテンツ識別子’、‘フォーマット’、‘スクラップ’‘プライベート’‘ブックマーク’‘タグ’、及び‘メディアタイプ’の中の少なくとも１つをさらに有することを特徴とする請求項２２に記載のユーザコンテンツ提出システム。
【発明の詳細な説明】
【技術分野】
【０００１】
本発明は、ダイナミックコンテンツ配信（Dynamic Contents Delivery）サービスにおけるコンテンツを配信する方法及び装置に関し、特に、他のユーザと共有するためのユーザが生成したコンテンツを提出する方法及び装置に関する。
【背景技術】
【０００２】
従来、初期段階における音声電話を中心とした移動通信は、通信技術の発達により短文メッセージサービス（Short Message Service：以下、“ＳＭＳ”と称する。）、マルチメディアメッセージングサービス（Multimedia Messaging Service：以下、“ＭＭＳ”と称する。）のようなメッセージングサービス、インターネット接続サービス及び映像通話サービスのような様々な付加サービスを市場に導入しており、また、複数の移動通信デバイスが個人携帯型という特性を考慮して個人向けコンテンツ配信サービスの導入を考慮している。
【０００３】
このような市場特性を考慮して、携帯端末機のアプリケーション階層標準を確立しているオープンモバイルアライアンス（Open Mobile Alliance：以下、“ＯＭＡ”と称する。）は、ＯＭＡ付属機関であるＯＭＡコンテンツデリバリワーキンググループ（ＯＭＡ  ＣＤ）で動的コンテンツ配信（Dynamic Content Delivery：以下、“ＤＣＤ”と称する。）技術を研究している。ＤＣＤは、移動端末機でのインターネットサービスの実際の適用が上述したような市場の要求状況及び検索の不便さ、制限された入力手段、及び遅いサービス速度などの理由で活発になされていない状況、及びますます増大している個人向けサービスに対するユーザの要請に沿ってユーザが所望するコンテンツを個人向けの形態に配信するサービスを提供することができる技術である。
【０００４】
従来技術の問題点及びこれを解消するための解決策は、コンテンツ提供技術標準の中の１つであるＯＭＡ  ＣＤ技術に基づいて明確に説明される。しかしながら、これは、本発明のさらなる理解のための具体的な一例として使用されるだけであり、本発明は、ＯＭＡ  ＣＤ技術に限定されず、様々な他のコンテンツ提供技術に適用されることができる。
【０００５】
図１は、本発明が適用されるＤＣＤサービスシステムのアーキテクチャ及びインターフェース構造を示す図である。
【０００６】
図１を参照すると、ＤＣＤシステムは、ＤＣＤクライアント１２０とＤＣＤサーバ１１０とを含む。ＤＣＤクライアント１２０は、移動端末機に位置し、移動端末機がＤＣＤサーバ１１０にアクセスするのに使用される。ＤＣＤクライアント１２０は、加入及び管理機能、コンテンツ配信及びストレージ管理機能、及びクライアントアプリケーションインタラクション機能の３つの論理的な機能をそれぞれ実行するモジュールを含む。加入及び管理機能モジュール１２１は、ＤＣＤサーバ１１０とサービス管理情報を交換する役割を担当し、コンテンツ配信及びストレージ管理機能モジュール１２３は、ＤＣＤサーバ１１０から受信したコンテンツの管理を担当する。クライアントアプリケーションインタラクション機能モジュール１２５は、対応するＤＣＤクライアント１２０を用いてＤＣＤ活用クライアントアプリケーション２０からＤＣＤサービスにアクセスするための機能をサポートする。
【０００７】
ＤＣＤサーバ１１０は、ＤＣＤサービス関連アプリケーションに基づくネットワーク機能を提供する。ＤＣＤサーバ１１０は、サーバ構成要素の加入及び管理機能、分配及び適応機能の２種類の論理的機能をそれぞれ実行するモジュールを含む。加入及び管理機能モジュール１１１は、ＤＣＤクライアント１２０とサービス管理情報を交換する機能に関与し、分配及び適用機能モジュール１１３は、ＤＣＤコンテンツ及びＤＣＤコンテンツ通知をＤＣＤクライアント１２０に提供する。下記の表１は、図１の構成要素（論理エンティティ）間で使用されるインターフェースを定義する。
【０００８】
【表１】
2011530733.tif 000003
【０００９】
ＤＣＤシステムにおいて、コンテンツを配信するためにコンテンツメタデータ（メタデータ、コンテンツフォーマット）が定義されている。“コンテンツメタデータ”は、ＤＣＤコンテンツ配信を制御するための動的設定及び規則又はコンテンツ情報を意味する。（表２Ａ）〜（表２Ｊ）は、コンテンツメタデータ内の要素及び属性の定義を示す。
【００１０】
【表２Ａ】
2011530733.tif 000004
【表２Ｂ】
2011530733.tif 000005
【表２Ｃ】
2011530733.tif 000006
【表２Ｄ】
2011530733.tif 000007
【表２Ｅ】
2011530733.tif 000008
【表２Ｆ】
2011530733.tif 000009
【表２Ｇ】
2011530733.tif 000010
【表２Ｈ】
2011530733.tif 000011
【表２Ｉ】
2011530733.tif 000012
【表２Ｊ】
2011530733.tif 000013
【００１１】
従来技術において、コンテンツ配信のためのコンテンツメタデータは、コンテンツがＤＣＤサーバ又はコンテンツプロバイダーにより生成され、ＤＣＤサーバからＤＣＤクライアントに配信される場合のみに一般的に使用される。
【００１２】
また、ＤＣＤクライアントは、従来技術に従って、コンテンツをＤＣＤサーバに配信（提出）することができる。しかしながら、従来技術において、ＤＣＤクライアントがコンテンツを提出する場合に、ＤＣＤクライアントは、コンテンツメタデータを配信せず、ＤＣＤシステムが解釈することができないコンテンツパッケージの形態でこのコンテンツを配信する。したがって、ＤＣＤサーバがコンテンツ情報を理解することができず、これにより、対応するコンテンツを掲示するか又は共有するのに非効率的であり、エラーが発生しやすい。
【発明の概要】
【発明が解決しようとする課題】
【００１３】
そこで、本発明は上記従来の問題点に鑑みてなされたものであって、本発明の目的は、他のユーザと共有するためのユーザが生成したコンテンツを提出するための装置及び方法を提供することにある。
本発明の他の目的は、ユーザが所定の規則に従ってコンテンツを生成し、対応するコンテンツの提出アドレス、データ又はメディアタイプ、ラベル（すなわち、タグ）などのような情報を有するコンテンツを提出することにより、ＤＣＤサービスプロバイダーがこのコンテンツを受信した後に容易に取り扱うことができる方法及びシステムを提供することにある。
【課題を解決するための手段】
【００１４】
上記のような目的を達成するために、本発明の実施形態の一態様によれば、移動端末機のユーザコンテンツ提出方法を提供する。上記方法は、ユーザコンテンツ活用クライアントアプリケーションがユーザ入力に従ってコンテンツ及び上記コンテンツに関する処理情報を示す提出メタデータを構成するステップと、上記ユーザコンテンツ活用クライアントアプリケーションが上記コンテンツ及び上記提出メタデータを有する提出パッケージを構成するステップと、上記ユーザコンテンツ活用クライアントアプリケーションが上記提出パッケージをユーザコンテンツクライアントに伝達するステップと、上記ユーザコンテンツクライアントが上記コンテンツ及び提出メタデータを含む上記提出パッケージをユーザコンテンツサーバに提出するステップと、上記ユーザコンテンツクライアントが上記提出メタデータに含まれる処理情報に従って上記コンテンツを処理した結果を上記ユーザコンテンツサーバから受信するステップとを有することを特徴とする。
【００１５】
本発明の実施形態の他の態様によれば、移動端末機のユーザコンテンツ提出装置を提供する。上記装置は、ユーザ入力に従ってコンテンツ及び上記コンテンツに関する処理情報を示す提出メタデータを構成し、上記コンテンツ及び上記提出メタデータを有する提出パッケージを生成し、上記提出パッケージをユーザコンテンツクライアントに配信するユーザコンテンツ活用クライアントアプリケーションと、上記コンテンツ及び上記提出メタデータを含む上記提出パッケージをユーザコンテンツサーバに提出し、上記提出メタデータに含まれる処理情報に従って上記コンテンツを処理した結果を上記ユーザコンテンツサーバから受信する上記ユーザコンテンツクライアントとを有することを特徴とする。
【００１６】
本発明の実施形態のさらに他の態様によれば、ユーザコンテンツサーバのユーザコンテンツ提出方法を提供する。上記方法は、ユーザ入力に従って構成され、コンテンツ及び上記コンテンツに関する処理情報を示す提出メタデータを含む提出パッケージを移動端末機から受信するステップと、上記提出メタデータに従って上記コンテンツ及び上記提出メタデータをコンテンツプロバイダーに提出するステップと、上記提出メタデータに含まれる処理情報に従って上記コンテンツを処理した結果を上記コンテンツプロバイダーから受信するステップと、上記コンテンツを処理した結果を上記移動端末機に配信するステップとを有することを特徴とする。
【００１７】
本発明の実施形態のさらなる他の態様によれば、ユーザコンテンツサーバのユーザコンテンツ提出装置を提供する。上記装置は、送受信部と、ユーザ入力に従って構成され、コンテンツ及び上記コンテンツに関する処理情報を示す提出メタデータを含む提出パッケージを上記送受信部を通して移動端末機から受信し、上記提出メタデータに従って上記コンテンツ及び上記提出メタデータを上記送受信部を通してコンテンツプロバイダーに提出し、上記コンテンツプロバイダーから上記提出メタデータに含まれる処理情報に従って上記コンテンツを処理した結果を上記送受信部を通して受信し、上記コンテンツを処理した結果を上記送受信部を通して上記移動端末機に配信する処理部とを有することを特徴とする。
【００１８】
本発明の実施形態のさらなる他の１つの態様によれば、ユーザコンテンツ提出システムを提供する。上記システムは、ユーザ入力に従って構成され、コンテンツ及び上記コンテンツに関する処理情報を示す提出メタデータを含む提出パッケージをユーザコンテンツサーバに提出し、上記提出メタデータに含まれる処理情報に従って上記コンテンツを処理した結果を上記ユーザコンテンツサーバから受信するユーザコンテンツクライアントと、上記提出パッケージに含まれる上記提出メタデータに従って上記コンテンツ及び上記提出メタデータを上記ユーザコンテンツクライアントからコンテンツプロバイダーに提出し、上記提出メタデータに含まれる処理情報に従って上記コンテンツを処理した結果を上記コンテンツプロバイダーから受信し、上記コンテンツを処理した結果を上記送受信部を通して上記ユーザコンテンツクライアントに配信する上記ユーザコンテンツサーバとを有することを特徴とする。
【発明の効果】
【００１９】
本発明の実施形態は、ユーザが所定の規則又はフォーマットに従って生成したコンテンツをＤＣＤコンテンツプロバイダーサーバに提出することにより、対応するコンテンツに関連した付加情報を含むことにより、ＤＣＤコンテンツプロバイダーサーバがＤＣＤコンテンツを記憶するか又は分類し、他のユーザと共有する際に容易に制御することができるという長所がある。
【図面の簡単な説明】
【００２０】
【図１】本発明が適用可能なＤＣＤサービスシステムのアーキテクチャ及びインターフェース構成を示す図である。
【図２】本発明の実施形態によるユーザがＤＣＤコンテンツをＤＣＤサーバに提出し、この提出したＤＣＤコンテンツと関連したＤＣＤコンテンツを受信する工程を示す図である。
【図３】本発明の実施形態によるユーザがＤＣＤコンテンツをＤＣＤサーバに提出する工程を示す図である。
【発明を実施するための形態】
【００２１】
本発明の詳細な構成および要素などの説明で定義される特徴は、本発明の実施形態の包括的な理解を助けるために提供される。したがって、本発明の範囲及び趣旨を逸脱することなく、ここに説明された実施形態の様々な変更及び変形が可能であるということは、当該技術分野における通常の知識を有する者には明らかである。また、明瞭性と簡潔性の観点から、当業者に良く知られている機能や構成に関する具体的な説明は、省略する。
【００２２】
以下では、本発明の様々な実施形態を説明する。また、本発明の説明の便宜のために、非同期移動通信標準である３ＧＰＰ（3rd Generation Partnership Project）又は移動端末機のアプリケーションの標準機構であるオープンモバイルアライアンス（Open Mobile Alliance：以下、“ＯＭＡ”と称する。）のＤＣＤで定義しているエンティティの名称を用いて説明するが、このような標準及び名称が本発明の範囲を限定するのではなく、本発明は類似の技術的背景を有するシステムにも適用できる。
【００２３】
本発明によるコンテンツ提出は、ユーザが生成したあるコンテンツを直接提出することにより他のユーザと共有するようにするための主な目的に加えて、様々な他の目的に使用されることもできる。例えば、コンテンツ提出に従って、ユーザは、特定のコンテンツを検索するのに必要とされるキーワード及び／又はフォーマットを提出するためのコンテンツを提出してもよく、個人向けサービスを受信するためにユーザ選好度を含むコンテンツを提出してもよい。さらに、ユーザは、ＤＣＤコンテンツプロバイダーサーバに加入するためのコンテンツを提出してもよい。また、ユーザは、任意のサービスプロバイダーから提供されたコンテンツ、例えば、新聞記事のようなコンテンツを提出してもよい。
【００２４】
このようなユーザのコンテンツ提出の目的は、ユーザがコンテンツを提出することにより、提出したコンテンツと関連した他のコンテンツを受信するための目的と、他の目的、例えば、特定のサイト又はチャネルにコンテンツのみを提出する目的とに分類することができる。
【００２５】
以下では、図２を参照してユーザが特定のコンテンツを受信するためにコンテンツを提出する場合の実施形態を説明し、図３を参照してユーザがコンテンツのみを提出する場合の実施形態を説明する。
【００２６】
本発明の一実施形態において、ＤＣＤ活用クライアントアプリケーション２０及びＤＣＤクライアント１２０は、移動端末機に含まれる。ＤＣＤサーバ１１０は、ＤＣＤクライアント１２０、コンテンツプロバイダー（すなわち、ＤＣＤコンテンツプロバイダーサーバ）１０、個人化ソース（すなわち、個人化情報プロバイダー）３０とメッセージを送受信することにより通信を実行する送受信部（図示せず）と、このメッセージの送受信を制御し、この送受信されたメッセージを処理する処理部（図示せず）とを含む。下記の説明において、この処理部は、ＤＣＤサーバ１１０の各種メッセージ処理工程と関連した動作を実行する。また、ＤＣＤ活用クライアントアプリケーション２０、ＤＣＤクライアント１２０、ＤＣＤサーバ１１０、コンテンツプロバイダー１０、及び個人化ソース３０は、従来の機能及び動作だけではなく、下記で説明する本発明の機能及び動作も実行する。
【００２７】
図２を参照して、ユーザは、ＤＣＤ活用クライアントアプリケーション２０を用いて提出するコンテンツを構成し、ステップ２０１で、コンテンツ提出要請（ContentSubmit Request）メッセージをＤＣＤクライアント１２０に送信することによりコンテンツ提出を要請する。この際に、ユーザは、提出するコンテンツを所定のフォーマットに従って作成できる。ステップ２０３で、ＤＣＤクライアント１２０は、コンテンツ提出要請メッセージ内の情報要素を適切に調整し、ステップ２０３で、その結果メッセージをＤＣＤサーバ１１０に送信する。
【００２８】
ステップ２０１で送信したコンテンツ提出要請メッセージ内に含まれる情報要素は、下記の表３に示すようであり、ステップ２０３で送信したコンテンツ提出要請メッセージに追加で含まれる情報要素は、下記の表４に示すようである。
【００２９】
【表３】
2011530733.tif 000014
【００３０】
【表４】
2011530733.tif 000015
【００３１】
本発明に従って、ユーザのＤＣＤ活用クライアントアプリケーション２０及びＤＣＤクライアント１２０は、コンテンツ提出のためのコンテンツ提出要請メッセージ内に提出されるコンテンツに関連した情報を含むために提出メタデータ、提出コンテンツ、及び提出パッケージなどを含む。
【００３２】
表４に定義されるように、提出パッケージは、提出メタデータ及び提出コンテンツを含み、提出メタデータは、本発明に従って（表５Ａ）又は（表５Ｂ）のような情報を含むことができる。
【００３３】
【表５Ａ】
2011530733.tif 000016
【表５Ｂ】
2011530733.tif 000017
【００３４】
（表５Ａ）又は（表５Ｂ）に示すように、提出メタデータは、関連するコンテンツの‘提出アドレス’（‘submit-address’） と、‘提出コンテンツ識別子’（‘submit-content-id’） と、‘データ表現位置’（‘display-position’） 、‘コンテンツフォーマット’（‘format’）、‘スクラップ’（‘scrap’） 、‘プライベート’（‘private’）、‘ブックマーク’（‘bookmark’）、‘ラベル’又は‘タグ’（‘label’又は‘tag’）、‘メディアタイプ’（‘media-type’）などのような情報を含む。特に、関連するコンテンツがどの位置に記憶されるか又は表示されなければならないかを示す情報であるデータ表現位置（‘display-position’）は、ユーザにより指定されることができる。また、この提出メタデータは、提出されるコンテンツが記憶のみを目的とするか、又は提出されるコンテンツと関連した他のコンテンツを要請するかを示すことができる。したがって、提出されたこのコンテンツは、ＤＣＤサーバ１１０により管理されることができ、他のユーザによっても共有されることができる。この提出メタデータは、提出されるコンテンツが従来技術のコンテンツメタデータに付加される際のみに使用されることができる付加のメタデータを意味するため、既存のコンテンツメタデータを含むことができる。
【００３５】
図２をさらに参照すると、コンテンツ提出要請メッセージを受信する場合に、ＤＣＤサーバ１１０は、コンテンツ提出要請メッセージに含まれる提出メタデータ（Submit-Metadata）を参照して、コンテンツアップデートを要請するために、ステップ２０５でコンテンツアップデート要請（ContentUpdate Request）メッセージをコンテンツプロバイダー１０に送信する。この際に、コンテンツアップデート要請メッセージに含まれる情報要素は、次の表６に示すようである。
【００３６】
【表６】
2011530733.tif 000018
【００３７】
コンテンツアップデート要請メッセージを受信する場合に、コンテンツプロバイダー１０は、コンテンツアップデート要請メッセージに含まれる提出メタデータを参照して対応するコンテンツをアップデートする。このようにアップデートされたコンテンツは、提出メタデータの設定に従って他のユーザにより共有されることもある。コンテンツプロバイダー１０は、提出メタデータを分析することによりこの提出されたコンテンツに関連した他のコンテンツをユーザに提供しなければならないか否かを判定する。判定の結果として、他のコンテンツを提供する必要がある場合に、ステップ２０７で、コンテンツプロバイダー１０は、コンテンツアップデート応答（ContentUpdate Response）メッセージをＤＣＤサーバ１１０に送信する。下記の表７に示す情報要素は、コンテンツアップデート応答メッセージに含まれる。
【００３８】
【表７】
2011530733.tif 000019
【００３９】
コンテンツアップデート応答メッセージを受信する場合に、コンテンツプロバイダー１０は、ステップ２０９で、個人化情報を取得するためにPersonalization Info Acquisitionメッセージを個人化情報プロバイダー（個人化ソース）３０に送信し、ステップ２１１で、コンテンツ適応を実行する。ステップ２０７、ステップ２０９、及びステップ２１１を介して、ＤＣＤサーバ１１０は、ユーザが提出したコンテンツと関連した新たなコンテンツを検索するか又は構成する。ステップ２１３で、ＤＣＤサーバ１１０は、コンテンツアップデートがなされた状態をユーザに通知し、ユーザが要請したコンテンツを提供するためにコンテンツアップデート応答メッセージをＤＣＤクライアント１２０に送信する。ユーザが要請したコンテンツは、特定のコンテンツであってもよく、ユーザにより提出されたコンテンツの実行結果を示すレポート情報であってもよい。コンテンツアップデート応答メッセージは、下記の表８のような情報要素を含む。
【００４０】
【表８】
2011530733.tif 000020
【００４１】
コンテンツアップデート応答メッセージを受信する場合に、ＤＣＤクライアント１２０は、受信されたコンテンツアップデート応答メッセージに含まれるコンテンツを検出し、ステップ２１５で、この検出したコンテンツを含むコンテンツメッセージをＤＣＤ活用クライアントアプリケーション２０に送信する。コンテンツメッセージに含まれる情報要素は、下記の表９に示すようである。
【００４２】
【表９】
2011530733.tif 000021
【００４３】
ステップ２１７で、ＤＣＤクライアント１２０は、コンテンツ受信確認のためのコンテンツ配信確認（ContentDelivery Confirmation）メッセージをＤＣＤサーバ１１０に送信する。
【００４４】
次いで、図３を参照して、ユーザがコンテンツの提出だけを目的とした場合について説明する。
図３のステップ２２１乃至ステップ２２５は、図２のステップ２０１乃至ステップ２０５と同一であり、対応するステップで送信されるメッセージも同一である。
【００４５】
しかしながら、図３に示す実施形態は、コンテンツ提出だけを目標とするために、コンテンツアップデート要請メッセージを受信したコンテンツプロバイダー１０は、この受信したコンテンツを記憶した後に、ステップ２２７で、ユーザのコンテンツ提出が完了したことを知らせるためのメッセージとしてコンテンツアップデート確認メッセージをＤＣＤサーバ１１０に送信する。コンテンツアップデート確認メッセージを受信する場合に、ＤＣＤサーバ１１０は、ステップ２２９で、コンテンツ提出確認（ContentSubmit Confirmation）メッセージをＤＣＤクライアント１２０に送信する。コンテンツアップデート確認メッセージに含まれる情報要素は、下記の表１０に示すようである。
【００４６】
【表１０】
2011530733.tif 000022
【００４７】
コンテンツ提出確認メッセージを受信したＤＣＤクライアント１２０は、ステップ２３１で、受信したメッセージをＤＣＤ活用クライアントアプリケーション２０に送信する。コンテンツ提出確認メッセージは、端末の内部動作としてコンテンツ提出の完了を示す通知メッセージとして機能する。
【００４８】
本発明の実施形態は、ユーザが所定の規則又はフォーマットに従って生成したコンテンツをＤＣＤコンテンツプロバイダーサーバに提出し、対応するコンテンツに関連した付加情報を含むことにより、ＤＣＤコンテンツプロバイダーサーバがＤＣＤコンテンツを記憶するか又は分類し、他のユーザと共有する際に容易に制御できる。
【００４９】
本発明の実施形態は、コンピュータ読み取り可能な記録媒体上でコンピュータ読み取り可能なコードとして実現することもできる。コンピュータ読み取り可能な記録媒体は、コンピュータシステムにより読み出すことができるデータを記憶することができる任意のデータ記憶装置である。コンピュータ読み取り可能な記録媒体の例としては、読出し専用メモリ（ＲＯＭ）、ランダムアクセスメモリ（ＲＡＭ）、ＣＤ−ＲＯＭ、磁気テープ、フロッピー（登録商標）ディスク、光学データ記憶装置、及び搬送波（有線又は無線送信経路上のインターネットを介したデータ送信のような）が含まれるが、これらに限定されるものではない。また、上記コンピュータ読み取り可能な記録媒体は、コンピュータ読み取り可能なコードが配布される方式で記憶されて実行されるように、ネットワーク結合型コンピュータシステムを介して配布することができる。更に、本発明を実行するための関数プログラム、コード及びコードセグメントは、本発明が属する技術分野で熟練したプログラマーにより本発明の範囲内で容易に解析することができるであろう。
【００５０】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。例えば、ＤＣＤシステムは、ユーザコンテンツを配信するユーザコンテンツシステムの一例であり、ＤＣＤクライアント及びＤＣＤサーバもユーザコンテンツシステムのユーザコンテンツクライアント及びユーザコンテンツサーバの一例である。また、ＤＣＤ活用クライアントアプリケーションは、ユーザコンテンツ活用クライアントアプリケーションの一例である。
【符号の説明】
【００５１】
１０・・・・コンテンツプロバイダー
２０・・・・ＤＣＤ活用クライアントアプリケーション
３０・・・・個人化ソース
１１０・・・ＤＣＤサーバ
１２０・・・ＤＣＤクライアント
２０１・・・コンテンツ提出要請
２０３・・・コンテンツ提出要請
２０５・・・コンテンツアップデート要請
２０７・・・コンテンツアップデート応答
２０９・・・個人化情報取得
２１１・・・コンテンツ適応
２１３・・・コンテンツアップデート応答
２１５・・・コンテンツ
２１７・・・コンテンツ配信確認
【図１】
2011530733.tif 000023
【図２】
2011530733.tif 000024
【図３】
2011530733.tif 000025
【国際調査報告】
2011530733.tif 000026
2011530733.tif 000027